(57)【特許請求の範囲】
【請求項１】
互いに所定の距離を隔てて平行に立設される一対の架台と、
この一対の架台の間に水平に架け渡されて少なくとも一部が同一の傾斜平面を形成するように張設された鋼撚り線又は鉄撚り線からなる複数本のケーブルと、
これらのケーブルに係止しつつ水平方向へ移動可能に設置される太陽光パネルアレイと、を備え、
前記太陽光パネルアレイは、平面視矩形状をなす太陽光パネルと、この太陽光パネルが複数枚組み付けられた枠体と、からなり、
前記太陽光パネルアレイが前記ケーブル上に設置された際に前記ケーブルに対して係止可能に形成されるとともに下方へ突出するように、固定部材が前記枠体に設けられたことを特徴とする太陽光パネル設備。
【請求項２】
前記枠体は、
平行に配置された一対のレースウェイを備え、
前記固定部材は、このレースウェイの側面から突出するように設けられることを特徴とする請求項１記載の太陽光パネル設備。
【請求項３】
前記架台は、
上面が前記傾斜平面を形成するように設置された梁材と、
この梁材を介して互いに接続された複数本の支柱と、からなることを特徴とする請求項１又は請求項２に記載の太陽光パネル設備。
【請求項４】
上部に設けられた梁材の上面が同一の傾斜平面を形成するように一対の架台を互いに所定の距離を隔てて平行に立設する工程と、
前記梁材の上面に架け渡すようにして鋼撚り線又は鉄撚り線からなる複数本のケーブルを前記一対の架台の間に平行かつ水平に張設する工程と、
固定部材が下方へ突出するように設けられた枠体の上面に複数枚の太陽光パネルを組み付けて太陽光パネルアレイを形成する工程と、
前記架台の近傍において前記ケーブルに前記固定部材を係止させ水平方向へ移動可能に前記太陽光パネルアレイを設置する工程と、
前記太陽光パネルアレイを前記ケーブルに沿って滑動させるようにして水平方向へ移動させる工程と、を備えたことを特徴とする太陽光パネル設備の施工方法。
【発明の詳細な説明】
【技術分野】
【０００１】
本発明は、パネル状に配列された複数枚の太陽電池を備えた発電設備（以下、太陽光パネル設備という。）とその施工方法に係り、特に、設置場所に対する制約が少なく、広大な用地に対しても多数の太陽光パネルを短時間で効率よく設置することが可能な太陽光パネル設備とその施工方法に関する。
【背景技術】
【０００２】
太陽電池を用いて太陽光からエネルギーを取り出し、直接的に電気エネルギーに変換する「太陽光発電」は、発電時に振動や騒音、あるいは廃棄物等が発生しないため、他の発電方式に比べて、設置箇所に対する制約が少ない。そのため、一般に利用価値のない場所、例えば、建物の屋根等が利用される。
なお、太陽電池は、吸収した光エネルギーを光起電力効果によって電気エネルギーに変換する素子からなり、通常は、この素子が直列に接続され、樹脂や強化ガラス等で保護された「モジュール」若しくは「パネル」と呼ばれる状態で使用される。
【０００３】
例えば、特許文献１には、「太陽電池の屋根上設置方法」という名称で、太陽電池モジュールを屋根上に設置する方法に関する発明が開示されている。
特許文献１に開示された発明は、屋根に取り付けたアンカーボルトにワイヤーを張り、このワイヤーに太陽電池モジュールを連結する構造となっている。また、屋根面に当接する太陽電池の下面には保護部材が設けられている。
このような構造によれば、重い架台を必要としないため、屋根への負担が軽減されるとともに、施工が簡便化される。また、地震等によって屋根に歪みが生じた場合でも、その歪みは張設状態のワイヤーの変形により吸収され、太陽電池モジュール自体は歪まないため、その破損を防止することができる。
【０００４】
また、特許文献２には、「屋根設置型太陽電池の設置方法」という名称で、一般住宅の既設の屋根に対して太陽電池を設置する方法に関する発明が開示されている。
特許文献２に開示された発明は、屋根上に縦横に張られた太陽電池取付用ワイヤーに対して、太陽電池を連結することを特徴とする。
このような方法によれば、太陽電池を取り付けるための架台が不要であるため、コストの低廉化を図ることができる。そして、太陽電池の設置作業が簡単となる。また、太陽電池の大きさや数量に応じた本数の太陽電池取付用ワイヤを張れば良いため、屋根上に設置する太陽電池の大きさや数量を任意に設定することができる。
【先行技術文献】
【特許文献】
【０００５】
【特許文献１】特開平８−２８８５３２号公報
【特許文献２】特許第２６９８２００号公報
【発明の概要】
【発明が解決しようとする課題】
【０００６】
しかしながら、上述の従来技術である特許文献１及び特許文献２に開示された発明は、建物の屋根等の狭い範囲に太陽電池モジュールを設置する場合には適しているが、ワイヤーに太陽電池を連結する構成となっており、太陽電池を運搬する車輌用の通路の確保が困難であるため、広大な用地に多くの太陽電池を設置する必要のある「大規模な太陽光発電」には適していない。また、ワイヤーを取り付ける箇所が屋根のように凹凸の少ない略平坦面でなければならないため、設置場所が限定されてしまうという課題があった。
【０００７】
本発明は、このような従来の事情に対処してなされたものであり、設置場所に対する制約が少なく、広大な用地に対しても多数の太陽光パネルを短時間で効率よく安価に設置することが可能な太陽光パネル設備とその施工方法を提供することを目的とする。
【課題を解決するための手段】
【０００８】
上記目的を達成するため、請求項１記載の発明である太陽光パネル設備は、互いに所定の距離を隔てて平行に立設される一対の架台と、この一対の架台の間に水平に架け渡されて少なくとも一部が同一の傾斜平面を形成するように張設された鋼撚り線又は鉄撚り線からなる複数本のケーブルと、これらのケーブルに係止しつつ水平方向へ移動可能に設置される太陽光パネルアレイと、を備え、太陽光パネルアレイは、平面視矩形状をなす太陽光パネルと、この太陽光パネルが複数枚組み付けられた枠体と、からなり、太陽光パネルアレイがケーブル上に設置された際にケーブルに対して係止可能に形成されるとともに下方へ突出するように、固定部材が枠体に設けられたことを特徴とするものである。
【０００９】
このような構造の太陽光パネル設備においては、太陽光パネルアレイがケーブルによって直接支持され、ケーブル自体は少なくとも一対の架台によって支持されることから、架台によって太陽光パネルアレイを支持する従来の設備に比べ、太陽光パネルアレイを支持する目的で設置される架台の数が格段に少ない。
また、本発明の太陽光パネル設備においては、ケーブル上に太陽光パネルアレイが載架される構造であることから、架台に固定するようにして太陽光パネルアレイが設置される従来の設備に比べ、太陽光パネルアレイの取り付けや取り外しが容易である。
さらに、ケーブルに係止するように設置された太陽光パネルアレイは、ケーブル上を滑動させることで、ケーブルに沿って容易に水平方向へ移動するという作用を有する。
【００１０】
また、請求項２記載の発明は、請求項１記載の太陽光パネル設備において、枠体は、平行に配置された一対のレースウェイを備え、固定部材は、このレースウェイの側面から突出するように設けられることを特徴とするものである。
このような構造の太陽光パネル設備においては、請求項１に記載の発明の作用に加えて、枠体を構成する部材が少なく軽量構造であることから、製造コストが安く、かつ、太陽光パネルアレイの運搬が容易になるという作用を有する。
【００１１】
請求項３記載の発明は、請求項１又は請求項２に記載の太陽光パネル設備において、架台は、上面が傾斜平面を形成するように設置された梁材と、この梁材を介して互いに接続された複数本の支柱と、からなることを特徴とするものである。
このような構造の太陽光パネル設備においては、請求項１又は請求項２に記載の発明の作用に加えて、架台の構成部材が少ないため、材料費や組立作業等に要する費用が安いという作用を有する。
【００１２】
請求項４記載の発明である太陽光パネル設備の施工方法は、上部に設けられた梁材の上面が同一の傾斜平面を形成するように一対の架台を互いに所定の距離を隔てて平行に立設する工程と、梁材の上面に架け渡すようにして鋼撚り線又は鉄撚り線からなる複数本のケーブルを一対の架台の間に平行かつ水平に張設する工程と、固定部材が下方へ突出するように設けられた枠体の上面に複数枚の太陽光パネルを組み付けて太陽光パネルアレイを形成する工程と、架台の近傍においてケーブルに固定部材を係止させ水平方向へ移動可能に太陽光パネルアレイを設置する工程と、太陽光パネルアレイをケーブルに沿って滑動させるようにして水平方向へ移動させる工程と、を備えたことを特徴とするものである。
【００１３】
架台の代わりにケーブルを用いて太陽光パネルアレイを支持する上述の方法によれば、太陽光パネルアレイを架台に固定する従来の方法とは異なり、多くの架台を用いる必要がない。また、太陽光パネルアレイを取り付けたり、取り外したりする作業が容易である。
【発明の効果】
【００１４】
以上説明したように、本発明の請求項１に記載の太陽光パネル設備によれば、太陽光パネルアレイを架台で支持する従来技術に比べ、使用する架台の数が格段に少ないため、架台を構成する鋼材等の材料費や架台の組立作業等に要する費用の大幅な削減と工期の短縮化を図ることが可能である。
さらに、例えば、サービスエリア等の駐車エリアのように、車輌の通行の邪魔になるとの理由から架台を設置できない場合や、一部に池や沼地や平坦でない場所があり、架台を設置できる場所が限定される場合であっても、本発明の太陽光パネル設備であれば、多くの架台を設置する必要がなく、また、架台を設置できない場所にはケーブルを張設すれば良いため、太陽光パネルを設置することが可能である。なお、上述の駐車エリアの上方にケーブルを張設し、このケーブル上に太陽光パネルアレイを設置した場合、太陽光パネルアレイは屋根としても機能し、車輌に対する太陽光の直射を遮って車内が高温状態となるのを防ぐという効果を発揮する。
【００１５】
また、本発明の太陽光パネル設備では、太陽光パネルアレイの取り付けや取り外しが容易であり、太陽光パネルアレイの設置、交換及び撤去を行う際の作業効率が良いことから、施工、改修及び解体に要する費用を安く抑えることができる。
さらに、本発明の太陽光パネル設備によれば、ケーブルを利用して太陽光パネルアレイを運搬できるため、大規模な太陽光発電を目的として広大な用地に多数の太陽光パネルを設置する必要がある場合でも、太陽光パネルアレイの形で一括して所定の場所へ効率良く太陽光パネルを運搬することができる。加えて、本発明の太陽光パネル設備によれば、太陽光パネルアレイを運搬する車輌等の通路を十分に確保できない場所、例えば、山間部の遊休地等に対しても適用可能である。
【００１６】
本発明の請求項２に記載の太陽光パネル設備によれば、請求項１に記載の発明の効果に加え、枠体の材料費や組立作業等に要する費用が削減されるとともに、太陽光パネルアレイを設置する際などにおける作業性が向上するという効果を奏する。
【００１７】
本発明の請求項３に記載の太陽光パネル設備によれば、請求項２に記載の発明の効果を奏することに加え、架台の製造コストの削減と工期の短縮化という請求項１に記載の発明の効果がより一層発揮される。
【００１８】
本発明の請求項４に記載の太陽光パネル設備の施工方法によれば、架台の設置数が少ないことから、架台を構成する鋼材等の材料費や架台の組立作業等に要する費用を安く抑えるとともに、工期を短縮化することができる。また、架台の設置が制限される場所についても太陽光パネル設備を施工することができる。
さらに、大規模な太陽光発電に用いる広大なエリアや、山間部の遊休地等のように太陽光パネルアレイを運搬する車輌等の通路を十分に確保できない場所に対しても、太陽光パネルアレイの運搬にケーブルを利用することで、多数の太陽光パネルを短時間で効率良く設置することができる。
【図面の簡単な説明】
【００１９】
【図１】本発明の実施の形態に係る太陽光パネル設備の外観を示す斜視図である。
【図２】図１において太陽光パネルアレイを取り外した状態を示す図である。
【図３】（ａ）及び（ｂ）は太陽光パネルアレイを組み付けるための枠体を構成するレースウェイ及び係止部材の外観を示す斜視図であり、（ｃ）はレースウェイの連結部材の外観を示す斜視図である。
【図４】（ａ）は太陽光パネルアレイを組み付けるための枠体の外観を示す斜視図であり、（ｂ）は同図（ａ）におけるＡ−Ａ線矢視断面を拡大した図であり、（ｃ）は太陽光パネルアレイの外観を示す斜視図である。
【図５】（ａ）は図４（ａ）のＢ方向矢視図の一部を拡大して示した図であり、（ｂ）は同図（ａ）の変形例を示す図である。
【図６】本発明の実施の形態に係る太陽光パネル設備の施工手順を示すフローチャートである。
【図７】図６のステップＳ６における施工途中の太陽光パネル設備の外観を示す斜視図である。
【図８】（ａ）は本発明の実施の形態に係る太陽光パネル設備の施工方法の一例を示す模式図であり、（ｂ）は同図（ａ）の太陽光パネル設備を所定の間隔をあけて配列した状態を示す模式図である。
【発明を実施するための形態】
【００２０】
本発明の太陽光パネル設備について、図１〜図８を用いて具体的に説明する。
図１及び図２はそれぞれ本発明の実施の形態に係る太陽光パネル設備の外観を示す斜視図である。ただし、図２は図１において太陽光パネルアレイを設置していない状態に相当する。
なお、図１〜図４及び図７では、部材同士を連結するために使用するボルト等の図示を省略している。
【実施例】
【００２１】
図１及び図２に示すように、太陽光パネル設備１は、互いに所定の距離を隔てて平行に立設される一対の架台２ａ，２ａと、この一対の架台２ａ，２ａの間に平行に立設される架台２ｂと、一対の架台２ａ，２ａ及び架台２ｂの間に水平に架け渡される４本のケーブル３と、これらのケーブル３に載架される４枚の太陽光パネルアレイ４を備えている。ただし、ケーブル３は亜鉛メッキ鋼撚り線からなり、架台２ａ，２ｂは鋼材によって構成されている。
また、太陽光パネルアレイ４は、平面視矩形状をなす６枚の太陽光パネル５が１列に並べられた状態で金属製の枠体６に組み付けられたものであり、平行に張設された４本のケーブル３に対して、その長手方向が直交するように配置されている。
【００２２】
なお、本実施例では、６枚の太陽光パネル５を１列に並べて太陽光パネルアレイ４を構成しているが、太陽光パネル５の枚数や列数は、これに限定されるものではなく、適宜変更可能である。また、ケーブル３として、亜鉛メッキ鋼撚り線の代わりに亜鉛メッキ鉄撚り線を用いても良い。さらに、ワイヤロープをケーブル３として用いることもできる。ただし、ワイヤロープは鋼撚り線や鉄撚り線に比べて弛み易いため、大きなテンションをかけて弛みを防ぐ機構を別個に設ける、あるいは、架台２ｂの数を増やしてワイヤーロープが架台２ａ，２ｂによって支持されていない区間を短くするなどの対策を講じる必要がある。したがって、ケーブル３にはワイヤロープよりも鋼撚り線や鉄撚り線を用いる方が望ましい。
【００２３】
架台２ａ，２ｂは、図示しないコンクリート基礎に下端が埋設された状態で支持され長さがそれぞれ異なる３本の支柱７と、これらの支柱７を互いに接続するように設置される梁材８と、隣接する支柱７，７の側面に両端が固定される横架材９からなる。なお、３本の支柱７は、梁材８が水平に対して所定の角度で傾斜するように設置され、架台２ａ，２ｂは、全ての梁材８の上面が同一の傾斜平面を形成するように配置されている。
また、梁材８の上面には保持部材１０がそれぞれ固設されており、ケーブル３は、保持部材１０の内部に挿通された状態で梁材８に対して固定されるとともに、その両端が横架材９，９にそれぞれ巻回されるようにして固定されている。
そして、架台２ａでは、各支柱７が補強材１１によって支持されている。ただし、補強材１１は、一端が支柱７の上端近傍の側面に固定されるとともに、他端がコンクリート基礎に埋設されており、鉛直方向に対して４５°傾斜した状態でコンクリート基礎によって支持されている。
【００２４】
なお、本実施例では図１及び図２に示すように、支柱７、梁材８、補強材１１をＬ型断面形状の鋼材とし、横架材９を円柱状の鋼材としているが、これに限定されるものではなく、Ｌ型断面形状や円柱形状の鋼材に代えてＨ型断面形状の鋼材を用いても良い。また、支柱７、梁材８、横架材９及び補強材１１の本数や架台２ｂの数は、本実施例に示したものに限らず、適宜変更可能である。さらに、架台２ｂの支柱７に補強材１１を設置しても良い。そして、本実施例では、梁材８を介して３本の支柱７の上端同士がそれぞれ接続された構造としているが、必ずしも梁材８は支柱７の上端に設置されていなくとも良い。すなわち、梁材８が水平方向に対して傾斜した状態で支柱７の側面に固定された構造とすることもできる。
【００２５】
図３（ａ）及び図３（ｂ）は枠体６を構成するレースウェイ及び係止部材の外観斜視図であり、図３（ｃ）は２本のレースウェイの両端同士を連結するために用いられる連結部材の外観斜視図である。また、図４（ａ）は枠体６の外観斜視図であり、図４（ｂ）は図４（ａ）におけるＡ−Ａ線矢視断面の拡大図であり、図４（ｃ）は太陽光パネルアレイ４の外観斜視図である。さらに、図５（ａ）は図４（ａ）のＢ方向矢視図の一部を拡大して示した図であり、図５（ｂ）は図５（ａ）の変形例を示す図である。
なお、図３（ｂ）では固定部材を図３（ａ）及び図３（ｃ）のレースウェイ等よりもやや拡大して示し、図４（ｃ）と図５（ａ）及び図５（ｂ）ではケーブル３を破線で示している。また、図１及び図２に示した構成要素については同一の符号を付して、その説明を省略する。
【００２６】
図３及び図４に示すように、枠体６は、亜鉛メッキ鋼鈑からなり長手方向へ溝１２ａを有し平行に配置された一対のレースウェイ１２，１２が、その端部１２ｂ，１２ｂ同士を平面視略「コ」の字状をなす連結部材１３によってそれぞれ連結されるとともに、レースウェイ１２に対し、固定部材１４が溝１２ａの開口部１２ｃから突出するように取り付けられた構造となっている。
固定部材１４は、レースウェイ１２の溝１２ａに対して端部１２ｂから挿入可能に形成される取付部１４ａと、この取付部１４ａに立設される係止部１４ｂからなり、溝１２ａの内部に取付部１４ａが挿設されるとともに溝１２ａの開口部１２ｃから係止部１４ｂを突出させた状態でレースウェイ１２にボルト等を用いて固定されている。
なお、連結部材１３は本実施例に示した構造に限定されるものではない。例えば、レースウェイ１２，１２に直交するように配置されたレースウェイ１２とは別のレースウェイを連結部材１３として用いても良い。また、固定部材１４は、取付部１４ａを省略し、係止部１４ｂのみからなる板材とすることもできる。
【００２７】
このような構造の太陽光パネル設備１においては、太陽光パネルアレイ４がケーブル３上に載架された場合に、枠体６の固定部材１４がケーブル３に係止するため、太陽光パネルアレイ４は、ケーブル３に沿う方向への移動が制限されることなく、ケーブル３に垂直な下方への移動のみが制限される。したがって、図４（ｃ）に矢印Ｃで示すように、太陽光パネルアレイ４はケーブル３上を水平方向へ滑動可能な状態となる。すなわち、太陽光パネル設備１においては、ケーブル３上を太陽光パネルアレイ４を滑動させるようにして運搬することで、広大な用地に多数の太陽光パネル５を設置することが必要な場合でも、太陽光パネルアレイ４の形で一括して所定の場所へ効率良く太陽光パネル５を運搬することができる。
【００２８】
また、枠体６を構成する部材が少なく軽量構造であることから、製造コストが安く、かつ、太陽光パネルアレイ４自体も軽量構造となる。したがって、枠体６の材料費や組立作業等に要する費用が削減されるとともに、太陽光パネルアレイ４を設置する際などにおける作業性が向上する。
さらに、上述の通り、ケーブル３を利用することで、太陽光パネルアレイ４は人力で容易に運搬可能となる。この場合、太陽光パネルアレイ４を運搬する車輌等の通路を確保する必要がないため、例えば、山間部の遊休地等に対しても、本発明の太陽光パネル設備１であれば、施工可能である。
【００２９】
さらに、太陽光パネル設備１は、太陽光パネルアレイ４がケーブル３によって直接支持されるため、太陽光パネルアレイ４の取り付けや取り外しが容易であり、太陽光パネルアレイ４の設置、交換及び撤去を行う際の作業効率が良いことから、施工、改修及び解体に要する費用を安く抑えることができる。
加えて、太陽光パネル設備１においては、架台に太陽光パネルが固定される従来の設備に比べ、架台２ａ，２ｂの数が格段に少なく、それらを構成する部材も少ない。したがって、太陽光パネル設備１によれば、鋼材等の材料費や架台２ａ，２ｂの組立作業等に要する費用の大幅な削減と工期の短縮化を図ることが可能である。
【００３０】
また、例えば、サービスエリア等の駐車エリアのように、車輌の通行の邪魔になるとの理由から架台を設置できない場合や、一部に池や沼地や平坦でない場所があり、架台を設置できる場所が限定される場合であっても、上記構造の太陽光パネル設備１であれば、架台２ａ，２ｂの設置数が少なく、また、架台２ａ，２ｂを設置できない場所にはケーブル３を張設すれば良いため、そのような場所にも太陽光パネル５を設置することができる。なお、上述の駐車エリアの上方にケーブル３を張設し、このケーブル３上に太陽光パネルアレイ４を設置した場合、太陽光パネルアレイ４は屋根としても機能し、車輌に対する太陽光の直射を遮って車内が高温状態になるのを防ぐという効果を発揮する。
【００３１】
本実施例では、図５（ａ）に示すように、１本のレースウェイ１２に対して１つの固定部材１４が設置されているが、これに限定されるものではなく、例えば、図５（ｂ）に示すように、太陽光パネルアレイ４がケーブル３上に載架された場合に、ケーブル３を両側から挟むように、１本のレースウェイ１２に対して一対の固定部材１４，１４を設置した構造とすることもできる。この場合、太陽光パネルアレイ４をケーブル３上で水平方向へ滑動させる際に、一対の固定部材１４，１４が枠体６の移動方向をケーブル３に沿った方向のみに規定するガイド部材として機能する。したがって、太陽光パネルアレイ４のケーブル３に沿った水平方向への移動が円滑に行われる。
なお、この場合、係止部１４ｂを側面視Ｌ字状とし、固定部材１４，１４の間に跨設した連結具１５を各係止部１４ｂにボルト１６ａとナット１６ｂを用いて締結する構造としても良い。これにより、太陽光パネルアレイ４はケーブル３から離脱不能となる。
【００３２】
次に、太陽光パネル設備１の施工方法について図６及び図７を用いて説明する。
図６は太陽光パネル設備１の施工手順を示すフローチャートである。また、図７は施工途中の太陽光パネル設備１の外観を示す斜視図であり、図６のステップＳ６に対応する状態を示している。なお、図１〜図５に示した構成要素については同一の符号を付して、その説明を省略する。
図６に示すように、まず、ステップＳ１において、一対の架台２ａ，２ａが互いに所定の距離を隔てて平行に立設されるとともに、この架台２ａ，２ａの間に平行に架台２ｂが立設されるように、３本１組の支柱７を所定の９箇所に配置し、その下部を囲むように設置したコンクリート打設用の型枠（図示せず）の中にコンクリートを流し込んで固化させてコンクリート基礎を形成する。このとき、補強材１１も、その下端を型枠内に配置し、支柱７と同様に上記コンクリート基礎によって下部を固定する。
次に、ステップＳ２において、横架材９を隣接する支柱７，７の間に配置し、その側面に横架材９の両端をそれぞれ固定する。さらに、架台２を構成する３本の支柱７を梁材８によって互いに接続し、架台２ａ，２ｂを形成する。なお、架台２ａ，２ｂを構成する３本の支柱７は全て長さが異なっており、その上端に設置された梁材８が水平面に対して所定の角度で傾斜するように配置されている。そして、架台２ａ，２ｂは、その上部に設置された３本の梁材８の上面が同一の傾斜平面を形成するように設置されている。
ただし、このような構造に限定されるものではなく、例えば、梁材８が水平方向に対して傾斜した状態で支柱７の側面に固定された構造とすることもできる。
【００３３】
ステップＳ３では、４本のケーブル３を架台２ａ，２ｂの間に水平に架け渡し、その端部を横架材９に固定するようにして張設する。その後、ケーブル３を内部に通すようにして梁材８の上面に保持部材１０を固設する。
ステップＳ４では、平行に配置された一対のレースウェイ１２，１２の両端同士を連結部材１３で連結して平面視矩形状の枠体６を形成するとともに、一対のレースウェイ１２，１２に対し、溝１２ａの内部に取付部１４ａを挿設し開口部１２ｃから係止部１４ｂを突出させた状態で固定部材１４を固定する。そして、６枚の太陽光パネル５を枠体６上に配置しネジ止めする。これにより、太陽光パネルアレイ４が形成される。なお、ステップＳ４は、必ずしもステップＳ３の後に行う必要はなく、ステップＳ５よりも前であれば、どの時点で行っても良い。
ステップＳ５では、図７に矢印Ｄで示すように、架台２ａの近傍において、太陽光パネルアレイ４を、４本のケーブル３に対し、各固定部材１４がそれぞれ係止するように載架する。
ステップＳ６では、ケーブル３の上に載架された太陽光パネルアレイ４の両端を手で保持するなどして、矢印Ｅで示すようにケーブル３に沿って滑動させることにより水平方向へ移動させる。そして、移動により空いた箇所に、次の太陽光パネルアレイ４を設置する。以下、この作業を繰り返すことにより、全ての太陽光パネルアレイ４がケーブル３の上に設置され、太陽光パネル設備１の施工が完了する。
【００３４】
次に、大規模な太陽光発電用の広大なエリアに対して、本発明の太陽光パネル設備１を施工する方法について図８を用いて説明する。
図８（ａ）は太陽光パネル設備１の施工方法の一例を示す模式図であり、図８（ｂ）は図８（ａ）の太陽光パネル設備１を所定の間隔をあけて配列した状態を示す模式図である。
図８（ａ）は、２５０ｍの距離を隔てて平行に立設された一対の架台２ａ，２ａの間に２５ｍ間隔で９個の架台２ｂが平行に立設された状態の太陽光パネル設備１を表している。なお、架台２ａ，２ｂ及び架台２ｂ，２ｂの間に張設されたケーブル３には、縦１．４ｍ、横１ｍの６枚の太陽光パネル５が１列に配置された太陽光パネルアレイ４が架台２ａ，２ｂに対して平行に２５列配置されている。すなわち、１つの太陽光パネル設備１には１５０枚の太陽光パネル５が設置されている。
図８（ｂ）は、上述の太陽光パネル設備１に対し、その周囲に幅３ｍと幅４ｍの通路を確保した状態で、複数配列した状態を表している。ただし、通路の幅は本実施例に示した値に限定されるものではなく、適宜変更可能である。既に述べたように、本発明の太陽光パネル設備１においては、ケーブル３を利用して太陽光パネルアレイ４を人力で運搬することもできるため、必ずしも太陽光パネルアレイ４を運搬する車輌の通路や転回用のスペースを確保する必要がない。したがって、太陽光パネル設備１の周囲に十分な空きスペースを確保できない場合には、通路の幅を本実施例で示した場合よりも狭く設定することも可能である。
【００３５】
このような太陽光パネル設備１の施工方法においては、太陽光パネルを架台等に固定する従来の方法とは異なり、多くの架台を必要としない。また、太陽光パネルアレイ４を取り付けたり、取り外したりする作業が容易である。
すなわち、本発明の太陽光パネル設備１の施工方法によれば、鋼材等の材料費や架台の組立作業等に要する費用を安く抑えるとともに、工期を短縮化することができる。また、架台の設置が制限される場所についても太陽光パネル設備１を施工することが可能である。
さらに、大規模な太陽光発電に用いる広大なエリアや、山間部の遊休地等のように太陽光パネルアレイ４を運搬する車輌等の通路を十分に確保できない場所に対しても、太陽光パネルアレイ４の運搬にケーブル３を利用することで、多数の太陽光パネル５を短時間で効率良く設置することができる。
【産業上の利用可能性】
【００３６】
請求項１乃至請求項４に記載された発明は、大規模な太陽光発電を目的として多数の太陽光パネルの設置が予定される広大な用地に加え、山間部の遊休地や開発造成場所、あるいは高速道路のサービスエリア内の駐車エリア等に対しても適用することができる。
【符号の説明】
【００３７】
１…太陽光パネル設備  ２ａ，２ｂ…架台  ３…ケーブル  ４…太陽光パネルアレイ  ５…太陽光パネル  ６…枠体  ７…支柱  ８…梁材  ９…横架材  １０…保持部材  １１…補強材  １２…レースウェイ  １２ａ…溝  １２ｂ…端部  １２ｃ…開口部  １３…連結部材  １４…固定部材  １４ａ…取付部  １４ｂ…係止部  １５…連結具  １６ａ…ボルト  １６ｂ…ナット  
【要約】      （修正有）【課題】設置場所に対する制約が少なく、広大な用地に対しても多数の太陽光パネルを短時間で効率よく安価に設置することが可能な太陽光パネル設備とその施工方法を提供する。【解決手段】互いに所定の距離を隔てて平行に立設される一対の架台２ａ，２ａと、この一対の架台２ａ，２ａの間に平行に立設される架台２ｂと、一対の架台２ａ，２ａ及び架台２ｂの間に水平に架け渡される４本のケーブル３と、これらのケーブル３に載架される４枚の太陽光パネルアレイ４を備えている。ケーブル３は亜鉛メッキ鋼撚り線からなり、架台２ａ，２ｂは鋼材によって構成されている。太陽光パネルアレイ４は、平面視矩形状をなす６枚の太陽光パネル５が１列に並べられた状態で金属製の枠体６に組み付けられたものであり、平行に張設された４本のケーブル３に対して、その長手方向が直交するように配置されている。【選択図】図１【図１】
0005410634.tif 000002
【図２】
0005410634.tif 000003
【図３】
0005410634.tif 000004
【図４】
0005410634.tif 000005
【図５】
0005410634.tif 000006
【図６】
0005410634.tif 000007
【図７】
0005410634.tif 000008
【図８】
0005410634.tif 000009